(57)【要約】      （修正有）【課題】トレイがケースに収納された場合に、トレイの位置を安定的に保持する。【解決手段】１面が開口した箱形に形成されるケースアセンブリ１０と、光ディスクが装着されるトレイ２０と、を備える光ディスク装置であって、前記トレイは、前記ケースアセンブリ内に収納された状態と、前記ケースアセンブリから突出した状態との間を、左右に設けられたレール３１，３２に沿って移動し、前記トレイと前記ケースアセンブリとの間の上部空隙及び下部空隙の少なくとも一方に、前記ケースアセンブリの内面又は前記トレイから突出する突出部１５を設け、前記トレイが前記ケースアセンブリ内に収納された状態において、前記トレイと前記ケースアセンブリのウイング部１４の内面とが、前記突出部によって当接する。【選択図】図１
2012146361.tif 000002
【特許請求の範囲】
【請求項１】
１面が開口した箱形に形成されるケースアセンブリと、
光ディスクが装着されるトレイと、を備える光ディスク装置であって、
前記トレイは、前記ケースアセンブリ内に収納された状態と、前記ケースアセンブリから突出した状態との間を、左右に設けられたレールに沿って移動し、
前記トレイと前記ケースアセンブリとの間の上部空隙及び下部空隙の少なくとも一方に、前記ケースアセンブリの内面又は前記トレイから突出する突出部を設け、
前記トレイが前記ケースアセンブリ内に収納された状態において、前記トレイと前記ケースアセンブリのウイング部の内面とが、前記突出部によって当接することを特徴とする請求項１に記載の光ディスク装置。
【請求項２】
前記突出部は、前記上部空隙及び前記下部空隙の両方に設けられることを特徴とする請求項１に記載の光ディスク装置。
【請求項３】
前記ケースアセンブリは、ボトムケースと、前記ボトムケースの上部に係合して箱形を形成するトップケースとによって構成され、
前記突出部は、前記トップケースから下方に突出する第１突出部と、前記ボトムケースから上方に突出する第２突出部とを含むことを特徴とする請求項２に記載の光ディスク装置。
【請求項４】
前記トレイは、樹脂成形によって形成され、その下面側には、前記トレイの移動方向に延伸するリブが形成されており、
前記第２突出部は、前記トレイが前記ケースアセンブリ内に収納される過程において、前記リブと当接することを特徴とする請求項３に記載の光ディスク装置。
【請求項５】
前記ボトムケース及び前記トップケースは、金属板によって形成され、
前記突出部は、前記金属板の一部を曲げることによって形成したバネ部、又は、前記金属板の一部を突出した凸部であることを特徴とする請求項１から４のいずれか一つに記載の光ディスク装置。
【請求項６】
前記突出部は、前記トレイの上面から上方に突出する第１突出部と、前記トレイの下面から下方に突出する第２突出部とを含むことを特徴とする請求項２に記載の光ディスク装置。
【請求項７】
前記トレイは、樹脂成形によって形成され、
前記突出部は、前記トレイの一部が突出するように成型することによって構成されることを特徴とする請求項６に記載の光ディスク装置。
【請求項８】
前記突出部は、前記トレイに取り付けられたバネ部材によって構成されることを特徴とする請求項６に記載の光ディスク装置。
【発明の詳細な説明】
【技術分野】
【０００１】
本発明は、光ディスク装置に関し、特に、収納時のトレイの位置を安定的に保持する機構に関する。
【背景技術】
【０００２】
ＢＤ（Blu-ray Disc）等の光ディスクにデータを読み書きする光ディスク装置において、光ディスクが装着されるトレイは、外装を構成するケースから突出、収納可能に取り付けられている。すなわち、トレイは、その両側をレールによって支持され、レールと摺動可能に取り付けられている。シャシの左右側面には該レールが摺動する摺動部が設けられる。トレイは、レール及び摺動部によって、ケースアセンブリ内からケースアセンブリ外に突出するように移動する。
【０００３】
トレイの前面にはベゼルが設けられており、該ベゼルは、該光ディスク装置が取り付けられた装置の前面パネルの位置と一致するように、すなわち、該ベゼルが、該前面パネルに形成された四角穴内に納まるようになっている。
【先行技術文献】
【特許文献】
【０００４】
【特許文献１】特開２００６−１３４４１４号公報
【特許文献２】特開２００６−３２３９０５号公報
【特許文献３】特開２００３−３６６６２号公報
【発明の概要】
【発明が解決しようとする課題】
【０００５】
光ディスク装置の製造の過程において、トレイに反り、歪み等の変形が発生することがあり、この反りによって、例えば、図１０に示すように、トレイの収納時にベゼル４０が傾くことがある。ベゼル４０の傾きによって装置の前面パネル５０設けられた角穴５１とベゼル４０との間の隙間が均一ではなくなる。
【０００６】
このような課題を解決するために、トレイパネルにリブを設けるもの（例えば、特許文献１）、蓋体側突起部と段差部とを当接させるもの（例えば、特許文献２）、ハウジング部に当接する爪を設けたもの（例えば、特許文献３）が提案されている。
【０００７】
しかし、ベゼルとトレイとの係合部には所定の規格があり、ベゼルに特別な構造を設けることが困難な場合がある。
【０００８】
本発明は、トレイがケースに収納された際に、トレイの位置を安定的に保持することを目的とする。
【課題を解決するための手段】
【０００９】
本発明の代表的な一例を示せば以下の通りである。すなわち、１面が開口した箱形に形成されるケースアセンブリと、光ディスクが装着されるトレイと、を備える光ディスク装置であって、前記トレイは、前記ケースアセンブリ内に収納された状態と、前記ケースアセンブリから突出した状態との間を、左右に設けられたレールに沿って移動し、前記トレイと前記ケースアセンブリとの間の上部空隙及び下部空隙の少なくとも一方に、前記ケースアセンブリの内面又は前記トレイから突出する突出部を設け、前記トレイが前記ケースアセンブリ内に収納された状態において、前記トレイと前記ケースアセンブリのウイング部の内面とが、前記突出部によって当接することを特徴とする。
【発明の効果】
【００１０】
本発明の実施の形態によると、トレイをケースに収納した場合の、トレイの傾きを防止することができる。
【図面の簡単な説明】
【００１１】
【図１】本発明の第１の実施の形態の光ディスク装置のトレイオープン状態を示す斜視図である。
【図２】本発明の第１の実施の形態の光ディスク装置のトレイクローズ状態を示す斜視図である。
【図３】本発明の第１の実施の形態の光ディスク装置のトレイクローズ状態を示す上面図である。
【図４】本発明の第１の実施の形態の光ディスク装置のトレイが途中まで引き出された状態を示す下面図である。
【図５】本発明の第１の実施の形態の光ディスク装置のＢＢ断面図である。
【図６】本発明の第２の実施の形態の光ディスク装置のトレイオープン状態を示す斜視図である。
【図７】本発明の第２の実施の形態の光ディスク装置のトレイクローズ状態を示す上面図である。
【図８】本発明の第２の実施の形態の光ディスク装置のＣＣ断面図である。
【図９】本発明の第２の実施の形態の変形例の光ディスク装置のＣＣ断面図である。
【図１０】光ディスク装置が装着された装置において、ベゼルが傾いた状態を示す図である。
【発明を実施するための形態】
【００１２】
＜実施形態１＞
図１は、本発明の第１の実施の形態の光ディスク装置のトレイオープン状態を示す斜視図であり、図２は、トレイクローズ状態を示す斜視図であり、図３は、トレイクローズ状態を示す上面図であり、図４は、トレイが途中まで引き出された状態を示す下面図である。
【００１３】
第１の実施の形態の光ディスク装置は、光ディスクが装着されるトレイ２０を収納する箱形のケースアセンブリ１０を備える。シャシアセンブリ１０は、底面及び三つの壁面によって略箱形を形成するボトムケース１１、及びボトムケース１１の上面に取り付けられるトップケース１２によって構成される。また、ケースアセンブリ１０は、厚みがあり略箱形の本体部１３と、本体部１３から横方向（開口部から見て右方向）に張り出した薄厚のウイング部１４とによって構成される。
【００１４】
トレイ２０は、ケースアセンブリ１０の本体部１３に収納され、装着された光ディスクの回転軸が設けられた本体部と、前記本体部から横方向に張り出し、ケースアセンブリ１０のウイング部１４に収納されるウィング部２５とを有する。
【００１５】
ウィング部２５は、図４に示すように、その下面側に、トレイ２０の移動方向に延伸するリブ２５Ａと、トレイ２０の移動方向に延伸するリブ２５Ｂとが備わっている。リブ２５Ａの下面側の端部は同一平面を構成しており、このリブ２５Ａ、２５Ｂによって、ウイング部２５が所定の強度を持つことができる。
【００１６】
また、トレイ２０は、本体部の左右をレール３１、３２によって支持され、レール３１、３２と摺動可能に取り付けられている。シャシアセンブリ１０内の左右側面にはレール３１、３２が摺動する摺動部が設けられる。トレイ２０は、レール３１、３２及び摺動部によって、ケースアセンブリ内からケースアセンブリ外に突出するように移動し、トレイオープン状態となる（図１）。また、トレイ２０は、ケースアセンブリ外からケースアセンブリ内に収納される位置に移動し、トレイクローズ状態となる（図２）。
【００１７】
トレイ２０の前面には、図２から図４に破線の矢印で示すように、ベゼル４０が取り付けられる。ベゼル４０は、光ディスク装置が取り付けられる装置の前面パネル５０（図１０参照）の位置と一致するようになっており、アクセスランプからの光を導光する窓４５、トレイ２０を開閉するために操作される開閉ボタン４６、光ディスク装置の内部に設けられた手動イジェクト機構を操作するための穴４７を有する。
【００１８】
ベゼル４０は、トレイ２０の前面の左側の基準穴２１に係合する突起４１と、係合穴２２に係合するフック４２と、トレイ２０の側面の段差に設けられた係合部２３と係合するフック４３と、トレイ２０の前面の左側に設けられた係合穴２４と係合するフック４４とを有する。ベゼル４０は、これらの係合部とフックとの係合によって、トレイ２０に取り付けられる。特に、トレイ２０の前面の左側の基準穴２１及び右側の係合穴２４によって、ベゼル４０のトレイ２０への取付位置が決まる。
【００１９】
トレイ２０は、通常、樹脂成型によって作成されるので、成型時に反りが生じる。また、組み立て作業中にトレイ２０に力が加わることによって、反りなど、トレイ２０の形状のバラツキは大きくなる。特に、トレイ２０のウィング部２５は薄厚で本体部から横に張り出しているので、構造的に弱く、変形しやすい。
【００２０】
トップケース１２の上面には、ケースアセンブリ１０の内側に突出するバネ形状の凸部１５が設けられる。図４及び図５に示すように、ボトムケース１１の下面のバネ１５と略同一の位置には、ケースアセンブリ１０の内側に突出する凸部１６が設けられる。
【００２１】
トレイ２０の下面側にはリブ２５Ａ、２５Ｂが設けられるので、リブが設けられた箇所以外は凸凹している。このため、トレイ２０がケースアセンブリ１０内に収納される過程において、凸部１６が常にトレイ２０と接触するように、凸部１６は、リブ２５Ａと対向する位置に設けられる。なお、凸部１６を、内部のリブ２５Ａと対向する位置ではなく、外周のリブ２５Ｃと対向する位置に設けてもよい。
【００２２】
シャシアセンブリ１０の内部には、当該光ディスク装置をコンピュータに接続するためのインターフェースコネクタ及びインターフェース回路が実装されたプリント基板が収納される。また、トレイ２０には、光ディスク装置に装着された光ディスクから信号を読み取るための光ピックアップを駆動する駆動回路が実装されたプリント基板が取り付けられる。シャシアセンブリ１０に収納されたプリント基板と、トレイ２０に取り付けられたプリント基板とは、可撓性接続部材（例えば、フレキシブルフラットケーブル、フレキシブル基板など）によって接続される。
【００２３】
図５は、本発明の第１の実施の形態の光ディスク装置のＢＢ断面図である。
【００２４】
バネ１５は、先端が外側（上面側）を向いて、その中程でトレイ２０のウイング部２５の上面と接触する。バネ１５は、例えば、トップケース１２の一部をプレスによって内側に切り起こすことによって形成される。バネ１５の、トレイ２０と接触する箇所は曲面を構成している。また、バネ１５は、シャシアセンブリ１０の開口部側から切り起こされており、開口部側の傾斜が緩くなっている。このため、トレイ２０をケースアセンブリ１０内に収納する際に、トレイ２０がバネ１５に引っ掛かることを防止し、収納時の抗力を軽減することができる。
【００２５】
凸部１６は、ボトムケース１１の下面のバネ１５と略同一の（対向する）位置に設けられており、ボトムケースの一部に絞り加工をすることによって、先端が丸くなった突起を形成する。凸部１６の先端は、トレイ２０のウイング部２５の下面と接触する。
【００２６】
この様にバネ１５と凸部１６とを構成することによって、トレイ２０がケースアセンブリ１０内に収納された際に、バネ１５と凸部１６とがウイング部２５を挟み込むことができる。このため、トレイクローズ状態で、トレイ２０が正しい位置に規制されるので、トレイ２０の前面に取り付けられたベゼル４０の傾きを抑制することができる。
【００２７】
なお、第１の実施の形態ではトップケース１２にバネ１５を設け、ボトムケース１１に凸部１６を設けたが、トップケース１２及びボトムケース１１のいずれにバネを設け、いずれに凸部を設けてもよい。例えば、図示した組み合わせの他、トップケース１２に凸部を設け、ボトムケース１１にバネを設けてもよい。さらに、トップケース１２及びボトムケース１１の双方にバネを設けてもよく、トップケース１２及びボトムケース１１の双方に凸部を設けてもよい。なお、少なくとも一方にバネを設けることによって、トレイ２０がシャシアセンブリ１０に収納される際の抵抗力を軽減し、トレイ２０の出し入れを円滑にすることができる。また、少なくとも一方にに凸部を設けることによって、トレイ２０がシャシアセンブリ１０の中における位置のばらつきを少なくすることができる。よって、一方にバネを設け、一方に凸部を設ける場合、トレイ２０のシャシアセンブリ１０の中の位置の規制と、トレイ２０をシャシアセンブリ１０中に収納する際の抵抗力の軽減とを両立することができる  。
【００２８】
また、バネ１５又は凸部１６の一方のみを設けてもよい。例えば、トレイ２０の右端部が上方向に反る場合、バネ１５（又は、凸部）がトレイ２０を下方向に押圧することによって、トレイ２０を正しい位置にすることができる。一方、トレイ２０の右端部が下方向に反る場合、凸部１６（又は、バネ）がトレイ２０を上方向に押圧することによって、トレイ２０を正しい位置にすることができる。これによって、ベゼル４０の傾きを抑制することができる。
【００２９】
なお、バネ又は凸部をトップケース１２又はボトムケース１１の一方に設ける場合、トップケース１１に設けるとよい。これは、トレイ２０の形状から、ウィング部２５が上側に反ることが多いからである。
【００３０】
以上に説明したように、本発明の第１の実施の形態によると、ケースアセンブリ１０から内方に突出したバネ又は凸部（１５、１６）の少なくとも一つを設けることによって、トレイ２０の収納時のシャシアセンブリ１０の中の位置を規制することができ、トレイ２０に取り付けられたベゼル４０の傾きを抑制することができる。
【００３１】
＜実施形態２＞
次に、本発明の第２の実施の形態について説明する。
【００３２】
第２の実施の形態は、トレイ２０を挟み込むバネ１５及び／又は凸部１６をシャシアセンブリ１０から突出させた第１の実施の形態と異なり、シャシアセンブリ１０の内面に接する凸部をトレイ２０に設けた。
【００３３】
図６は、本発明の第２の実施の形態の光ディスク装置のトレイオープン状態を示す斜視図であり、図７は、トレイクローズ状態を示す上面図であり、図８は、ＣＣ断面図である。なお、第２の実施の形態において、前述した第１の実施の形態と同じ構成には同じ符号を付し、その説明は省略する。
【００３４】
第２の実施の形態の光ディスク装置は、光ディスクが装着されるトレイ２０を収納する箱形のケースアセンブリ１０を備える。シャシアセンブリ１０は、底面及び三つの壁面によって略箱形を形成するボトムケース１１、及びボトムケース１１の上面に取り付けられるトップケース１２によって構成される。また、ケースアセンブリ１０は、厚みがあり略箱形の本体部１３と、本体部１３から横方向（開口部から見て右方向）に張り出した薄厚のウイング部１４とによって構成される。
【００３５】
トレイ２０は、ケースアセンブリ１０の本体部１３に収納され、装着された光ディスクの回転軸が設けられた本体部と、前記本体部から横方向に張り出し、ケースアセンブリ１０のウイング部１４に収納されるウィング部２５とを有する。また、トレイ２０は、本体部の左右をレール３１、３２によって支持され、レール３１、３２と摺動可能に取り付けられている。シャシアセンブリ１０内の左右側面にはレール３１、３２が摺動する摺動部が設けられる。
【００３６】
トレイ２０の前面には、図７に破線の矢印で示すように、ベゼル４０が取り付けられる。ベゼル４０は、光ディスク装置が取り付けられる装置の前面パネル５０（図１０参照）の位置と一致するようになっている。
【００３７】
第２の実施の形態の光ディスク装置のトレイ２０のウイング部２５の上面側及び下面側に、それぞれ、凸部２６、２７が設けられる。
【００３８】
図８に示すように、トレイ２０がシャシアセンブリ１０に収納された際に、凸部２６はトップケース１２の内面に接触する高さに形成されており、凸部２７はボトムケース１１の内面に接触する高さに形成されている。また、凸部２６、２７は、ウイング部２５の上面側及び下面側に、対向する（略同一の）位置に設けられるので、トレイ２０の収納時に、トレイ２０がシャシアセンブリ１０の中で上下方向において固定され、シャシアセンブリ１０の中のトレイ２０が正しい位置になるので、トレイ２０の前面に取り付けられたベゼル４０の傾きを抑制することができる。
【００３９】
凸部２６、２７は、図８に示すように、トレイオープン状態において、シャシアセンブリ１０側の傾斜が小さく、ベゼル４０側の傾斜が大きくなっているとよい。また、凸部２６、２７の頂部は曲面となっている。これは、トレイ２０をシャシアセンブリ１０の中に収納する際の抵抗を軽減し、円滑なトレイ２０の出し入れを実現するためである。
【００４０】
なお、凸部２６又は凸部２７の一方のみを設けてもよい。例えば、トレイ２０の右端部が上方向に反る場合、凸部２６がトレイ２０を下方向に押圧することによって、トレイ２０を正しい位置にすることができ、ベゼル４０の傾きを抑制することができる。一方、トレイ２０の右端部が下方向に反る場合、凸部２７がトレイ２０を上方向に押圧することによって、トレイ２０を正しい位置にすることができ、ベゼル４０の傾きを抑制することができる。
【００４１】
なお、第２の実施の形態では、トレイ２０の上側と下側とに二つの凸部を設けたが、トレイ２０に一つの凸部を設け、シャシアセンブリ１０に一つのバネ（又は、凸部）を設けてもよい。この場合、図９に示すように、凸部１６と凸部２８との組み合わせでもよく、バネ（又は、凸部）１５と凸部２７との組み合わせでもよい。
【００４２】
なお、凸部２６、２７は、トレイ２０と一体に樹脂成型されたものではなく、別部材で構成し、トレイ２０に取り付けられるものでもよい。この別部材で構成された凸部２６、２７は、合成樹脂や金属によって形成することができる。トレイ２０と凸部２６、２７とを異なる材質で形成することによって、トレイ２０には剛性が高い材質を用い、凸部２６、２７には、柔軟性が高い材質を用いることができ、トレイ２０をシャシアセンブリ１０中に収納する際の抵抗力を軽減することができる。また、凸部２６、２７をバネ形状の金属板によって形成することによって、凸部２６、２７のバネ性を向上させることができ、トレイ２０をシャシアセンブリ１０中に収納する際の抵抗力を軽減することができる。
【００４３】
以上に説明したように、本発明の第２の実施の形態によると、トレイ２０から上下方向に突出した凸部又はバネ（２６、２７）によって、トレイ２０の収納時のシャシアセンブリ１０の中の位置を規制することができ、トレイ２０に取り付けられたベゼル４０の傾きを抑制することができる。
【符号の説明】
【００４４】
１０  シャシアセンブリ
１１  ボトムケース
１２  トップケース
１３  本体部
１４  ウィング部
１５、１６  バネ
２０  トレイ
２１  基準穴
２２、２４  係合穴
２３  係合部
２５  ウイング部
２５Ａ、２５Ｂ、２５Ｃ  リブ
２６、２７  凸部
３１、３２  レール
４０  ベゼル
４１  突起
４２、４３、４４  フック
【図１】
2012146361.tif 000003
【図２】
2012146361.tif 000004
【図３】
2012146361.tif 000005
【図４】
2012146361.tif 000006
【図５】
2012146361.tif 000007
【図６】
2012146361.tif 000008
【図７】
2012146361.tif 000009
【図８】
2012146361.tif 000010
【図９】
2012146361.tif 000011
【図１０】
2012146361.tif 000012